(57)【要約】【課題】姿勢検出機能により、バックライトを点灯する場合の時間と、手動操作により点灯する場合の時間が異なる電子機器を提供する。【解決手段】ＥＬ８０ｂと、姿勢検出スイッチＳＫで所定の姿勢が検出された際にＥＬ８０ｂを点灯させる姿勢検出部４０と、この姿勢検出部４０による点灯を設定する切替えスイッチＳ１と、切替えスイッチＳ１により有効が設定されている場合に、姿勢検出を検出してＥＬ８０ｂを点灯させる際の点灯時間、及び点灯スイッチＳ３が操作されることによりＥＬ８０ｂを点灯させる際の点灯時間が、３秒となるように制御するタイマと、切替えスイッチＳ１により無効が設定されている場合に、点灯スイッチＳ３が操作されるとＥＬ８０ｂを点灯させる際の点灯時間が１．５秒となるように制御するタイマを備える。【選択図】  図３
2005017021.tif 000002
【特許請求の範囲】
【請求項１】
照明手段と、
自機の姿勢を検出する姿勢検出手段と、
この姿勢検出手段で所定の姿勢が検出された際に前記照明手段を駆動させる照明駆動手段と、
この照明駆動手段による駆動を有効又は無効に設定する手動設定スイッチと、
前記照明手段を駆動するための手動照明スイッチと、
前記手動設定スイッチにより有効が設定されている場合に、前記照明駆動手段が前記照明手段を駆動させる際の駆動時間、及び前記手動照明スイッチが操作されることにより前記照明手段を駆動させる際の駆動時間が、第１の時間となるように制御する第１駆動制御手段と、
前記手動設定スイッチにより無効が設定されている場合に、前記手動照明スイッチが操作されることにより前記照明手段を駆動させる際の駆動時間が、前記第１の時間とは異なる第２の時間となるように制御する第２駆動制御手段と、
を備えることを特徴とする電子機器。
【発明の詳細な説明】
【０００１】
【発明の属する技術分野】
本発明は、姿勢検出機能を有し、検出した姿勢に応じ照明手段を駆動する電子機器に関する。
【０００２】
【従来の技術】
従来から、腕時計等に使われている液晶の表示画面は、昼間等の明るい所では視認性が高いが、夕方や夜間等の暗い所では、非常に読み取りにくく、時刻を判別するのが困難である。従って、暗い所でも表示画面の視認性を高くするために、表示画面を明るくする照明装置であるバックライトなるものが知られている。バックライトは、（Ｅｌｅｃｔｒｏ  ｌｕｍｉｎｅｓｃｅｎｃｅ）バックライトや、ＦＬ（冷陰極管）バックライト等から構成されており、所定のスイッチなどを押下することによって点灯する。
【０００３】
また、暗い所では操作スイッチの位置がわかりにくく、消灯のために押下しようとすると、スイッチを押し間違えることもある。また、バックライトは、消費電流が大きいため、長く点灯するのは好ましくない。従って、ユーザの操作によらなくてもバックライトを点灯した一定時間後に自動的に消灯する機能が知られている（例えば、特許文献１）。
【０００４】
また、姿勢検出機能を有する電子機器が知られている。具体的には、導電性の球部材を、移動可能な空間に収納する。そして、姿勢が変わると、球部材が移動する。球部材が移動すると、空間の上下に設けられている導電性の接点が、球部材によって接続され、上下の接点が導通する。この導通を検出することにより、所定の姿勢になったか否かを検出することができる（例えば、特許文献２）。
【０００５】
姿勢検出機能を応用したものに、姿勢検出機能を腕時計に利用した自動照明機能なる機能がある。自動照明機能とは、ユーザが腕を手前に傾けたか否かを検出することにより、腕を手前に傾けたときに、バックライトが点灯し、しばらくした後に自動的に消灯する機能である。この機能によれば、例えば夜間のジョギング中や、運転中等のように、時計の照明機能の操作を集中して行えないときに、簡易にバックライトを点灯することが可能である。
【０００６】
【特許文献１】
実開昭５７−９６４７８号公報
【特許文献２】
特開平８−１６０１６８号公報
【０００７】
【発明が解決しようとする課題】
しかし、従来の自動照明機能については、一定時間経過後に自動的に消灯となることから、早めにバックライトを消灯させたい場合であっても、消灯させることができなかった。また、夜間などの場合、バックライトを点灯させる時間を延長させたい場合であっても、一定時間後に消灯されてしまうため、再度バックライトを点灯させる必要性があった。
【０００８】
また、上述したように、バックライトは腕時計の中でも消費電力が大きいため、点灯時間が長い場合には、腕時計の電池寿命が短くなってしまう。従って、極力バックライトを点灯しない方が、省電力の点では有効である。しかし、点灯時間を短くしてしまうと、ユーザが時刻を読み取る前に、バックライトが消灯してしまい、何度も点灯操作をしなければならず、結果として、長い時間点灯することとなってしまう場合がある。
【０００９】
さらに、ユーザによっては、点灯時間を、可変させたい要望がある。例えば、夜の暗いところで時刻を確認する場合については、確実に時刻を確認するために、バックライトが長く点灯していることを所望する。この場合、短時間でバックライトが消灯してしまうと、時刻を確認することが出来ず、極めて利便性が悪いこととなる。また、映画館等においては、最小限の時間について点灯することを所望する。
【００１０】
また、腕時計は、ＰＤＡ（Ｐｅｒｓｏｎａｌ  Ｄｉｇｉｔａｌ  Ａｓｓｉｓｔａｎｔｓ）等と異なり、表示画面が狭く、操作スイッチも限られるため、より簡易な操作が所望されるという特殊な事情がある。
【００１１】
上記問題に鑑みて、本発明が為されたものであり、本発明の目的は、姿勢検出機能が有効である場合と、有効でない場合とにおいて、バックライトの表示時間を変化させることのできる、腕時計等の電子機器を実現することである。
【００１２】
【課題を解決するための手段】
上記課題を解決するために、請求項１に記載の発明は、照明手段（例えば、図３のＥＬ８０ａ）と、自機の姿勢を検出する姿勢検出手段（例えば、図２の姿勢検出部４０）と、この姿勢検出手段で所定の姿勢が検出された際に前記照明手段を駆動させる照明駆動手段（例えば図３のＥＬ駆動回路８０ｂ）と、この照明駆動手段による駆動を有効又は無効に設定する手動設定スイッチ（例えば、図３の切替ボタンＳ７）と、前記照明手段を駆動するための手動照明スイッチ（例えば、図３の点灯スイッチＳ３）と、前記手動設定スイッチにより有効が設定されている場合に、前記照明駆動手段が前記照明手段を駆動させる際の駆動時間、及び前記手動照明スイッチが操作されることにより前記照明手段を駆動させる際の駆動時間が、第１の時間となるように制御する第１駆動制御手段（例えば、図３の３秒タイマＴ５；ＡＮＤゲートＡＮ２０）と、前記手動設定スイッチにより無効が設定されている場合に、前記手動照明スイッチが操作されることにより前記照明手段を駆動させる際の駆動時間が、前記第１の時間とは異なる第２の時間となるように制御する第２駆動制御手段（例えば、図３の３秒タイマＴ５；ＡＮＤゲートＡＮ１６）と、を備えることを特徴としている。
【００１３】
この請求項１に記載の発明によれば、手動設定スイッチの有効及び無効に対応して、照明駆動時間を切り替えることが可能となる。従って、ユーザは設定に応じた時間だけバックライトを点灯させることが可能となる。
【００１４】
【発明の実施の形態】
以下、本発明を姿勢検出機能を有する電子機器の一種である腕時計に適用した場合の実施の形態について図面を参照して詳細に説明する。但し、本発明が適用可能なものはこれに限定されるものではない。
【００１５】
図１は、腕時計１の概観図である。同図に示すように、腕時計１は、ディスプレイ３と、各種操作スイッチとを備えている。
【００１６】
各種操作スイッチは、バックライトを点灯させるための点灯スイッチＳ１と、自動点灯機能の有無を切り替えるための切替えスイッチＳ３と、動作モードを切替えることが出来るモード切替えスイッチＳ５とを有して構成されている。
【００１７】
モード切替えスイッチＳ５は、腕時計の動作モードを切替えるスイッチである。腕時計１は、現在時刻表示モード、ストップウォッチモード、タイマモード等を備えており、モード切替えスイッチＳ５が押下されることにより、それらのモードが順次切替わる。
【００１８】
また、点灯スイッチＳ１は、バックライトを点灯するためのスイッチである。点灯スイッチＳ１がユーザによって押下されると、バックライトが点灯し、一定時間経過後にバックライトが消灯する。
【００１９】
また、切替えスイッチＳ３は、自動点灯機能の有効無効を切り替えるスイッチである。ここで、自動点灯機能とは、所定の姿勢であるか否かを姿勢検出機能で検出し、検出された場合に、バックライトを点灯する機能である。自動点灯機能が無効のときに、切替えスイッチＳ３が一定時間押下されると、自動点灯機能が有効となる。また、自動点灯機能が有効のときに、切替えスイッチＳ３が一定時間押下されると、自動点灯機能が無効となる。
【００２０】
図２は、腕時計１の構成を示すブロック図であり、図３は腕時計１の要部の回路図である。図２に示すように、腕時計１は、電子時計回路部１０と、ＲＯＭ２０（Ｒｅａｄ  Ｏｎｌｙ  Ｍｅｍｏｒｙ）と、操作部３０と、姿勢検出部４０と、計時回路部５０と、発振回路部６０と、表示部７０と、バックライト８０とを備えている。
【００２１】
ＲＯＭ２０には、各種初期設定、腕時計１の動作に必要な各種プログラム等が格納されている。
【００２２】
操作部３０は、モード切替えや、機能選択等に必要なスイッチ群を備えた入力装置であり、押下された信号を電子時計回路部１０に出力する。尚、この操作部３０は、図１の点灯スイッチＳ１と、切替えスイッチＳ３と、モード切替えスイッチＳ５とに相当する。また、これらハードウェア的なスイッチに限られるものではなく、例えばタッチパネル等によるいわゆるソフトスイッチであってもよい。
【００２３】
切替えスイッチＳ１は、一方が所定電圧ＶＤ、他方が２秒タイマＴ３の入力端子に接続されるスイッチである。切替えスイッチＳ１が、ユーザにより押下されると、Ｈｉ信号が２秒タイマＴ３の入力端子に出力される。
【００２４】
点灯スイッチＳ３は、一方が所定電圧ＶＤ、他方がＡＮＤゲートＡＮ１０の一方の入力端子に接続されるスイッチである。点灯スイッチＳ３が、ユーザにより押下されると、Ｈｉ信号がＡＮＤゲートＡＮ１０に出力される。
【００２５】
姿勢検出部４０は、所定の姿勢を検出するためのスイッチである。姿勢検出部の機構は公知の方法によって実現されるものであり、例えば次の機構によって実現できる。すなわち、導電性の球部材を、移動可能な空間に収納する。そして、姿勢の変化によって移動した球部材が空間の上下に設けられている導電性の接点に当接することで、上下の接点が導通する。この導通を検出することにより、所定の姿勢を検出し、信号を出力するスイッチである。
【００２６】
姿勢検出スイッチＳＫは、姿勢検出部４０を構成するスイッチであり、一方が所定電圧ＶＤ、他方が２５０ｍ秒タイマＴ１に接続されるスイッチである。姿勢検出スイッチＳＫが、所定の姿勢を検出すると、２５０ｍ秒タイマＴ１の入力端子に、Ｈｉ信号が出力される。
【００２７】
計時回路部５０は、分周回路５０ａと、時刻計数回路５０ｂと、日付計数回路５０ｃとから構成されている。計時回路５０は、発振回路部６０から入力される信号を係数して、現在時刻データ等を算出する。
【００２８】
分周回路５０ａには、発振回路部６０の出力が入力端子に接続され、ＡＮＤゲートＡＮ２２の一方の入力端子が出力端子Ｑに接続され、時刻計数回路５０ｂの入力端子が出力端子Ｋに接続される。ここで、出力端子Ｋからは、Ｈｉ信号を１秒毎に出力する。
【００２９】
時刻計数回路５０ｂには、分周回路５０ａの出力端子Ｋが入力端子に接続され、表示部７０が出力端子Ｈに接続され、ＡＮＤゲートＡＮ１８の入力端子の一方が出力端子Ｑに接続され、日付計数回路５０ｃの入力端子が出力端子Ｋに接続される。ここで、出力端子ＱからはＨｉ信号を１時間毎に出力し、出力端子Ｋからは２４時間毎にＨｉ信号を出力する。また、出力端子Ｈからは、現在の時刻データを出力し、表示部７０で表示される。
【００３０】
日付計数回路５０ｃには、時刻計数回路５０ｂの出力端子Ｋが入力端子に接続され、表示部７０が出力端子Ｈに接続される。ここで、出力端子Ｈからは、現在の日付データを出力し、表示部７０で表示される。
【００３１】
表示部７０は、電子時計回路部１０から入力される表示信号に基づいて画面を表示するものである。例えばＬＣＤ（Ｌｉｑｕｉｄ  Ｃｒｙｓｔａｌ  Ｄｉｓｐｌａｙ）や、ＰＤＰ（Ｐｌａｓｍａ  Ｄｉｓｐｌａｙ  Ｐａｎｅｌ）等により構成される。なお、この表示部７０は、図１に示すディスプレイ３に相当する。
【００３２】
バックライト８０は、表示部７０の視認性を良くするために、表示部７０の背後若しくは側面側から照らすための照明である。例えばＥＬ（Ｅｌｅｃｔｒｏ  ｌｕｍｉｎｅｓｃｅｎｃｅ）バックライトや、ＦＬ（冷陰極管）バックライト等により構成される。
【００３３】
また、バックライト８０は、ＥＬ駆動回路８０ａ、及びＥＬ８０ｂを備えて構成される。ＥＬ駆動回路８０ａは、ＲＳフリップフロップ回路ＦＦの出力端子Ｑに接続される。ＲＳフリップフロップ回路ＦＦの出力端子Ｑから出力されたＨｉ信号がＥＬ駆動回路８０ａに入力されると、ＥＬ駆動回路８０ａは、ＥＬ８０ｂを点灯させる。また、ＲＳフリップフロップ回路ＦＦの出力端子Ｑから出力されたＬｏｗ信号がＥＬ駆動回路８０ａに入力されると、ＥＬ駆動回路８０ａは、ＥＬ８０ｂを消灯させる。
【００３４】
電子回路部１０は、２５０ミリ秒タイマＴ１と、２秒タイマＴ３と、３秒タイマＴ５と、７進カウンタＴ７と、ＲＳフリップフロップ回路ＦＦと、Ｔフリップフロップ回路ＴＦと、ＡＮＤ回路ＡＮ１０〜２２と、ＯＲ回路ＯＲ１０〜１４とを備えて構成される。
【００３５】
２５０ｍ秒タイマＴ１は、入力端子が姿勢検出スイッチＳＫに接続され、出力端子がＡＮＤゲートＡＮ１４の一方の入力端子に接続される。２５０ｍ秒タイマＴ１は、姿勢検出スイッチＳＫから入力された信号が、２５０ｍ秒以上Ｈｉの状態であるか否かを判定し、２５０ｍ秒以上Ｈｉの状態であった場合に、Ｈｉ信号を出力する。なお、本実施の形態では、２５０ｍ秒としているが、これに限定されるものではなく、例えば５００ｍ秒等でもよい。
【００３６】
２秒タイマＴ３は、入力端子が切替えスイッチＳ１に接続され、出力端子がＯＲゲートＯＲ１４の一方の入力端子に接続される。２秒タイマＴ３は、切替えスイッチＳ１から入力された信号が、２秒以上Ｈｉの状態であるか否かを判定し、２秒以上Ｈｉの状態であった場合に、Ｈｉ信号を出力する。なお、本実施の形態では、２秒としているが、これに限定されるものではなく、例えば１秒や４秒等でもよい。
【００３７】
３秒タイマＴ５は、入力端子ＩＮがＡＮＤゲートＡＮ２２の出力端子に接続され、クリア端子ＣがＯＲゲートＯＲ１２の出力端子に接続され、出力端子ＦがＡＮＤゲートＡＮ２０の一方の入力端子に接続され、出力端子ＨがＡＮＤゲートＡＮ１６の一方の入力端子に接続される。ＯＲゲートＯＲ１２の出力端子から３秒タイマＴ５のクリア端子ＣにＨｉ信号が入力されると、３秒タイマＴ５は、保持している時間を「０」に初期化する。また、ＡＮＤゲートＡＮ２２の出力端子から、３秒タイマＴ５の入力端子ＩＮにＨｉ信号が入力されると、３秒タイマＴ５は、何秒間Ｈｉ信号が継続しているか判定する。そして、Ｈｉ状態が継続して１．５秒経過後に出力端子ＨからＨｉ信号をパルス出力し、３秒経過後に出力端子ＦからＨｉ信号をパルス出力する。なお、本実施の形態では、１．５秒、及び３秒のときにＨｉ信号が出力するがこれに限られるわけではなく、例えば、２秒と５秒のときに信号を出力する等としてもよい。
【００３８】
７進カウンタＴ７は、入力端子がＡＮＤゲートＡＮ１８の出力端子に接続され、クリア端子ＣがＯＲゲートＯＲ１４の出力端子に接続され、出力端子が、ＯＲゲート１４の他方の入力端子に接続される。ＯＲゲートＯＲ１４の出力端子から出力されたＨｉ信号が、クリア端子Ｃに入力されると、７進カウンタＴ７は、保持していたカウンタ値を「０」に初期化する。また、ＡＮＤゲートＡＮ１８から出力された信号が、入力端子に入力されると、７進カウンタＴ７は、カウンタ値を「１」加算する。そして、カウンタ値が「７」になったときに、出力端子からＨｉ信号を出力する。なお、本実施の形態では、カウンタ値を「７」までとしているが、これに限られるわけではなく、例えば、「１０」までカウントしてからＨｉ信号を出力する等としてもよい。
【００３９】
ＲＳフリップフロップ回路ＦＦは、セット端子ＳがＯＲゲートＯＲ１２の出力端子に接続され、リセット端子ＲがＯＲゲートＯＲ１０の出力端子に接続される。そして、ＲＳフリップフロップ回路ＦＦの出力端子Ｑが、ＥＬ駆動回路８０ｂ、及びＡＮＤゲートＡＮ２２の他方の入力端子に接続され、反転出力端子！ＱがＡＮＤゲートＡＮ１０の他方の入力端子、及びＡＮＤゲートＡＮ１２の一方の入力端子に接続される。
【００４０】
Ｔフリップフロップ回路ＴＦは、入力端子ＴがＯＲゲートＯＲ１４の出力端子に接続される。また、Ｔフリップフロップ回路ＴＦの出力端子Ｑが、ＡＮＤゲートＡＮ１４、ＡＮＤゲートＡＮ１８、及びＡＮＤゲートＡＮ２０の他方の入力端子並びに表示部７０に接続され、反転出力端子！Ｑが、ＡＮＤ回路ＡＮ１６の他方の入力端子に接続される。
【００４１】
ＡＮＤゲートＡＮ１０は、ＲＳフリップフロップ回路ＦＦの反転出力端子！Ｑから出力された信号と、操作スイッチＳ３から出力された信号とを入力し、ＡＮＤ演算を行った結果を、ＯＲゲートＯＲ１２に出力する。
【００４２】
ＡＮＤゲートＡＮ１２は、ＲＳフリップフロップ回路ＦＦの反転出力端子！Ｑから出力された信号と、ＡＮＤゲートＡＮ１４から出力された信号とを入力し、ＡＮＤ演算を行った結果を、ＯＲゲートＯＲ１２に出力する。
【００４３】
ＡＮＤゲートＡＮ１４は、Ｔフリップフロップ回路ＴＦの出力端子Ｑから出力された信号と、２５０ｍ秒タイマＴ１から出力された信号とを入力し、ＡＮＤ演算を行った結果を、ＡＮＤゲートＡＮ１２に出力する。
【００４４】
ＡＮＤゲートＡＮ１６は、３秒タイマＴ５の出力端子Ｈから１．５秒経過したときに出力される信号と、Ｔフリップフロップ回路ＴＦの反転出力端子Ｑから出力された信号とを入力し、ＡＮＤ演算を行った結果を、ＯＲゲートＯＲ１０に出力する。
【００４５】
ＡＮＤゲートＡＮ１８は、Ｔフリップフロップ回路ＴＦの出力端子Ｑから出力された信号と、時刻計数回路５０ｂの出力端子Ｑから出力される信号とを入力し、ＡＮＤ演算を行った結果を、７進カウンタＴ７の入力端子に信号を出力する。
【００４６】
ＡＮＤゲートＡＮ２０は、３秒タイマＴ５の出力端子Ｆから出力される信号と、Ｔフリップフロップ回路ＴＦの出力端子Ｑから出力された信号とを入力し、ＡＮＤ演算を行った結果を、ＯＲゲートＯＲ１０に出力する。
【００４７】
ＡＮＤゲートＡＮ２２は、分周回路５０ａの出力端子Ｑから出力された信号と、ＲＳフリップフロップＦＦの出力端子Ｑから出力された信号とを入力し、ＡＮＤ演算を行った結果を、３秒タイマＴ５に出力する。
【００４８】
ＯＲゲートＯＲ１０は、ＡＮＤゲートＡＮ１６から出力された信号と、ＡＮＤゲートＡＮ２０から出力された信号とを入力し、ＯＲ演算を行った結果を、ＲＳフリップフロップＦＦに出力する。
【００４９】
ＯＲゲートＯＲ１２は、ＡＮＤゲートＡＮ１０から出力された信号と、ＡＮＤゲートＡＮ１２から出力された信号とを入力し、ＯＲ演算を行った結果を、ＲＳフリップフロップＦＦに出力する。
【００５０】
ＯＲゲートＯＲ１４は、２秒タイマＴ３から出力された信号と、７進カウンタＴ７から出力された信号とを入力し、ＯＲ演算を行った結果を、Ｔフリップフロップ回路ＴＦに出力する。
【００５１】
ここで、ＲＳフリップフロップ回路ＦＦの初期状態としてセット端子Ｓ＝Ｌｏｗ信号、リセット端子Ｒ＝Ｌｏｗ信号、出力端子Ｑ＝Ｌｏｗ信号、反転出力端子！Ｑ＝Ｈｉ信号とし、Ｔフリップフロップ回路ＴＦの初期状態として、入力端子Ｔ＝Ｌｏｗ信号、出力端子Ｑ＝Ｌｏｗ信号、反転出力端子！Ｑ＝Ｈｉ信号とする。また、ＥＬ８０ｂは点灯していないものとする。
【００５２】
〔第１動作例〕
第１動作例は、自動点灯機能が無効の場合の動作について説明したものである。自動点灯機能が無効の場合に、点灯スイッチＳ３が押下されたとき、及び姿勢検出スイッチＳＫが作動したときについて説明する。
【００５３】
（点灯スイッチＳ３が押下されたとき）
最初に、点灯スイッチＳ３が押下されたときの動作について、説明する。まず、点灯スイッチＳ３が押下されると、点灯スイッチＳ３からＨｉ信号がＡＮＤゲートＡＮ１０に出力される。すると、ＡＮＤゲートＡＮ１０は、点灯スイッチＳ３から入力されたＨｉ信号と、ＲＳフリップフロップ回路ＦＦの反転端子！Ｑから出力されたＨｉ信号とのＡＮＤ演算を行い、Ｈｉ信号をＯＲゲートＯＲ１２に出力する。
【００５４】
次に、ＯＲゲートＯＲ１２は、ＡＮＤゲートＡＮ１０から出力された信号と、ＡＮＤゲートＡＮ１２から出力された信号とのＯＲ演算を行い、ＲＳフリップフロップ回路ＦＦのセット端子Ｓ及び３秒タイマのクリア端子Ｃに出力する。
【００５５】
ＲＳフリップフロップ回路ＦＦは、セット端子ＳにＨｉ信号が入力されると、出力端子ＱからＨｉ信号を、反転出力端子！ＱからＬｏｗ信号を出力する。そして、出力端子ＱからＥＬ駆動回路８０ｂと、ＡＮＤゲートＡＮ２２とにＨｉ信号を出力する。ＥＬ駆動回路８０ｂは、ＲＳフリップフロップ回路ＦＦから、Ｈｉ信号が入力されると、ＥＬ８０ａを点灯させる。
【００５６】
また、ＯＲゲートＯＲ１２から出力されたＨｉ信号は、３秒タイマＴ５のクリア端子Ｃに入力される。３秒タイマＴ５は、記憶しているタイマカウンタを初期値に戻す。
【００５７】
次に、ＡＮＤゲートＡＮ２２は、分周回路５０ａの出力端子Ｑから出力された信号と、ＲＳフリップフロップ回路ＦＦの出力端子Ｑから出力された信号とのＡＮＤ演算を行う。ここで、ＲＳフリップフロップ回路ＦＦからＨｉ信号が出力され、分周回路の出力端子ＱからＨｉ信号が出力されると、ＡＮＤゲートＡＮ２２はＨｉ信号を３秒タイマＴ５の入力端子ＩＮに出力する。３秒タイマＴ５の入力端子ＩＮに、Ｈｉ信号が入力されると、３秒タイマＴ５は、Ｈｉ信号が入力されている時間を計測する。そして、１．５秒が経過したときに、出力端子ＨからＨｉ信号を、３秒が経過したときに、出力端子ＦからＨｉ信号をそれぞれ出力する。
【００５８】
ここで、３秒タイマ回路Ｔ５の出力端子Ｈが、ＡＮＤゲートＡＮ１６にＨｉ信号を出力する。すると、ＡＮＤゲートＡＮ１６は、３秒タイマ回路Ｔ５の出力端子Ｈから入力されたＨｉ信号と、Ｔフリップフロップ回路ＴＦの反転出力端子！Ｑから入力されたＨｉ信号とのＡＮＤ演算を行い、Ｈｉ信号をＯＲゲートＯＲ１０に出力する。
【００５９】
そして、ＯＲゲートＯＲ１０は、ＡＮＤゲートＡＮ１６からＨｉ信号が入力されると、ＯＲ演算の結果としてＲＳフリップフロップ回路ＦＦのリセット端子Ｒに出力する。ＲＳフリップフロップ回路ＦＦは、リセット端子ＲにＨｉ信号が入力されると、出力端子ＱからＬｏｗ信号を、反転出力信号！ＱからＨｉ信号を出力する。ＲＳフリップフロップ回路ＦＦの出力端子Ｑから出力されたＬｏｗ信号は、ＥＬ駆動回路８０ａに入力される。すると、ＥＬ駆動回路８０ａは、バックライトであるＥＬ８０ｂを消灯する。
【００６０】
従って、上記、操作例の通りに、バックライトを点灯させた後、１．５経過後にバックライトＥＬ８０ｂが消灯する。
【００６１】
（姿勢検出スイッチＳＫがＯＮになったとき）
次に、初期状態である自動点灯機能が作動していない場合に、姿勢検出スイッチＳＫが作動したときについて説明する。
【００６２】
姿勢検出スイッチＳＫがＯＮになると、Ｈｉ信号が２５０ミリ秒タイマＴ１に入力される。そして、２５０ミリ秒タイマＴ１は、入力された信号状態がＨｉであることを２５０ｍ秒間検知すると、Ｈｉ信号をＡＮＤゲートＡＮ１４に出力する。ここで、ＡＮＤゲートＡＮ１４は、２５０ミリ秒タイマＴ１から出力された信号はＨｉ状態であるが、Ｔフリップフロップ回路ＴＦの出力端子Ｑから出力される信号はＬｏｗ状態である。従って、ＡＮＤゲートＡＮ１４がＡＮＤ演算を行うと、出力信号をＬｏｗ状態として、ＯＲゲートＯＲ１２の入力端子に出力する。また、ＯＲゲートＯＲ１２は、ＡＮＤゲートＡＮ１２からＬｏｗ信号と、ＡＮＤゲート１０からＬｏｗ信号とが入力されるため、Ｌｏｗ信号を、ＲＳフリップフロップ回路ＦＦのセット端子に出力する。従って、ＲＳフリップフロップ回路ＦＦの出力端子Ｑの出力はＬｏｗ信号のままであり、ＥＬ駆動回路８０ａは、ＥＬ８０ｂを点灯させない。
【００６３】
このように、第１動作例によれば、自動点灯機能がＯＮでないときは、点灯スイッチＳ３の操作のみによって、バックライトが点灯する。また、バックライトの点灯時間が１．５秒と短く、必要最小限の時間だけ点灯する。このため、消費電流が少なく省電力の点で有効である。従って、従来の時計に比べて電池の寿命を延ばす効果がある。
【００６４】
〔第２動作例〕
次に、第２動作例について説明する。第２動作例は、自動点灯機能が有効な場合の動作例である。
【００６５】
（姿勢検出スイッチＳＫがＯＮになったとき）
まず、切替ボタンＳ１をＯＮにすると、２秒タイマＴ３にＨｉ信号が入力される。ここで、信号がＨｉ状態を２秒間検知すると、２秒タイマＴ３はＯＲゲートＯＲ１４にＨｉ信号を出力する。そして、ＯＲゲートＯＲ１４はＯＲ演算を実行し、Ｈｉ信号をＴフリップフロップ回路ＴＦの入力端子に出力する。
【００６６】
Ｔフリップフロップ回路ＴＦは、ＯＲゲートＯＲ１４からＨｉ信号が入力されると出力端子Ｑと、反転出力端子！Ｑの出力を反転させる。具体的には、出力端子Ｑから出力される信号をＨｉ状態、反転出力端子！Ｑから出力される信号をＬｏｗ状態としてそれぞれ出力する。Ｔフリップフロップ回路ＴＦは、出力端子Ｑから、ＡＮＤゲートＡＮ１４と、ＡＮＤゲートＡＮ１８と、ＡＮＤゲート２０と、表示部７０とにそれぞれＨｉ信号を出力する。
【００６７】
表示部７０は、Ｔフリップフロップ回路ＴＦの出力端子ＱからＨｉ信号が入力されると、表示部７０に自動点灯機能が有効になったことを表示する。
【００６８】
次に、姿勢検出スイッチＳＫが、所定の姿勢を検出すると、２５０ｍ秒タイマＴ１にＨｉ信号を出力する。ここで、２５０ｍ秒タイマＴ１がＨｉ状態を２５０ｍ秒検知すると、２５０ミリ秒タイマＴ１はＨｉ信号をＡＮＤゲートＡＮ１４に出力する。また、ＡＮＤゲートＡＮ１４は、Ｔフリップフロップ回路ＴＦの出力端子Ｑから出力されたＨｉ信号と、２５０ｍ秒タイマＴ１から出力されたＨｉ信号とＡＮＤ演算を行った結果、Ｈｉ信号をＡＮＤゲートＡＮ１２の入力端子に出力する。
【００６９】
ＡＮＤゲートＡＮ１２は、ＡＮＤゲートＡＮ１４と、ＲＳフリップフロップ回路ＦＦの反転出力端子！ＱとからＨｉ信号が入力される。ＡＮＤ演算を行った結果、Ｈｉ信号をＯＲゲートＯＲ１２に出力する。そして、ＯＲゲートＯＲ１２は、ＯＲ演算を行った結果として、Ｈｉ信号をＲＳフリップフロップ回路ＦＦのセット端子Ｓに出力する。
【００７０】
ＲＳフリップフロップ回路ＦＦは、セット端子ＳにＨｉ信号が入力されると、出力端子ＱからＨｉ信号を、反転出力端子！ＱからＬｏｗ信号を出力する。ここで、ＥＬ駆動回路８０ａには、ＲＳフリップフロップ回路ＦＦの出力端子Ｑから出力されたＨｉ信号が入力されるため、ＥＬ駆動回路８０ａは、ＥＬ８０ｂを点灯させる。
【００７１】
次に、ＥＬ８０ｂが消灯する仕組みについて説明する。ＯＲゲートＯＲ１２は、Ｈｉ信号を、３秒タイマＴ５のクリア端子Ｃに出力する。３秒タイマＴ５は、クリア端子Ｃに、Ｈｉ信号が入力されると、内部に保持しているタイマカウンタを、一度初期値に戻す。次に、ＡＮＤゲートＡＮ２２に、ＲＳフリップフロップ回路ＦＦの出力端子Ｑと、分周回路１５の出力端子ＱとからＨｉ信号が入力される。そして、ＡＮＤゲートＡＮ２２はＡＮＤ演算を行い、Ｈｉ信号を３秒タイマＴ５の入力端子ＩＮに出力する。３秒タイマＴ５は、入力端子ＩＮにＨｉ信号の入力を検知すると、一定の時間が経過したときに、Ｈｉ信号を出力する。
【００７２】
３秒タイマＴ５は、１．５秒経過すると出力端子Ｈから、Ｈｉ信号をＡＮＤゲートＡＮ１６に出力する。このときＡＮＤゲートＡＮ１６には、３秒タイマＴ５の出力端子Ｈから出力されているＨｉ信号と、フリップフロップ回路ＴＦの反転出力端子！Ｑから出力されているＬｏｗ信号が入力されている。従って、ＡＮＤゲートＡＮ１６はＡＮＤ演算を実行した結果、Ｌｏｗ信号をＯＲゲートＯＲ１０に出力する。また、ＯＲゲートＯＲ１０には、ＡＮＤゲートＡＮ２０と、ＡＮＤゲートＡＮ１６とから信号が入力されるが、両方ともＬｏｗ信号のため、ＲＳフリップフロップ回路ＦＦのリセット端子ＲにＬｏｗ信号を出力する。ＲＳフリップフロップ回路ＦＦは、リセット端子ＲにＬｏｗ信号が入力されても、出力に変化はないため、ＥＬは点灯状態となっている。
【００７３】
次に、３秒タイマＴ５は、３秒経過すると出力端子Ｆから、Ｈｉ信号をＡＮＤゲートＡＮ２０に出力する。このとき、ＡＮＤゲートＡＮ２０には、３秒タイマＴ５の出力端子Ｆから出力されているＨｉ信号と、フリップフロップ回路ＴＦの出力端子Ｑから出力されたＨｉ信号とが入力されている。従って、ＡＮＤゲートＡＮ２０はＡＮＤ演算をした結果、Ｈｉ信号をＯＲゲートＯＲ１０に出力する。また、ＯＲゲートＯＲ１０は、ＯＲ演算をした結果、Ｈｉ信号をＲＳフリップフロップ回路ＦＦのリセット端子Ｒに出力する。ＲＳフリップフロップ回路ＦＦは、リセット端子ＲにＨｉ信号が入力されると、出力端子ＱからＬｏｗ信号を出力する。ＲＳフリップフロップ回路ＦＦの出力端子Ｑから出力されたＬｏｗ信号は、ＥＬ駆動回路８０ａに入力される。ＥＬ駆動回路８０ａは、Ｌｏｗ信号が入力されたので、ＥＬ８０ｂを消灯する。
【００７４】
（点灯スイッチＳ３が押下されたとき）
自動点灯機能が有効なときに、点灯スイッチＳ３が押下された場合について説明する。点灯スイッチＳ３が押下されると、Ｈｉ信号がＡＮＤゲートＡＮ１０の入力端子に入力される。ＡＮＤゲートＡＮ１０は、点灯スイッチＳ３から出力されたＨｉ信号と、ＲＳフリップフロップ回路ＦＦの反転出力端子！Ｑから出力されたＨｉ信号とをＡＮＤ演算し、出力としてＨｉ信号を出力する。ＡＮＤゲートＡＮ１０から出力されたＨｉ信号は、ＯＲゲートＯＲ１２に入力される。ＯＲゲートＯＲ１２は、ＯＲ演算の結果、Ｈｉ信号をＲＳフリップフロップ回路ＦＦのセット端子Ｓに出力する。すると、セット端子ＳにＨｉ信号が入力されたＲＳフリップフロップ回路ＦＦは、出力端子ＱからＨｉ信号を出力する。
【００７５】
あとは、姿勢検出スイッチＳＫが作動したときと同様に、ＥＬが点灯し、３秒後にＥＬが消灯する。
【００７６】
（自動点灯機能解除）
次に、自動点灯機能が解除される回路について説明する。切替ボタンＳ１をＯＮにすると、２秒タイマＴ３にＨｉ信号が入力される。ここで、２秒タイマＴ３がＨｉ信号を２秒間検知すると、Ｈｉ信号をＯＲゲートＯＲ１４にＨｉ信号を出力する。ＯＲゲートＯＲ１４は、２秒タイマＴ３から出力されたＨｉ信号が入力されると、ＯＲ演算を実行し、Ｈｉ信号をＴフリップフロップ回路ＴＦの入力端子に出力する。
【００７７】
Ｔフリップフロップ回路ＴＦは、ＯＲゲートＯＲ１４からＨｉ信号が入力されると出力端子Ｑと、反転出力端子！Ｑの出力を反転させる。具体的には、出力端子Ｑから出力される信号状態をＬｏｗ、反転出力端子！Ｑから出力される信号状態をＨｉとしてそれぞれ出力する。出力端子Ｑから出力された信号は、ＡＮＤゲートＡＮ１４と、ＡＮＤゲートＡＮ１８と、ＡＮＤゲート２０と、表示部７０とにそれぞれ出力される。ＡＮＤゲートＡＮ１４にＬｏｗ信号が入力されると、ＡＮＤゲートＡＮ１４は、出力信号をＬとして出力する。従って、姿勢検出スイッチＳＫによっては、バックライトであるＥＬ素子８０ｂは点灯しない。
【００７８】
また、自動点灯機能は所定の時間を経過すると、解除される。例えば、２秒タイマ回路Ｔ３は、Ｈｉ信号をＯＲゲートＯＲ１４に出力する。すると、ＯＲゲート１４は、Ｈｉ信号をＴフリップフロップ回路ＴＦと、７進カウンタＴ７のクリア端子Ｃに出力する。７進カウンタＴ７では、Ｈｉ信号が、クリア端子に入力されると、内部のカウンタの値を初期値である「０」に戻す。また、Ｔフリップフロップ回路ＴＦは、出力端子ＱからＡＮＤゲートＡＮ１８にＨｉ信号を出力する。さらに、ＡＮＤゲートＡＮ１８は、Ｔフリップフロップ回路ＴＦの出力端子から出力された信号と、時刻計数回路５０ｂの出力端子Ｑから出力された信号とが入力される。ここで、時刻計数回路５０ｂの出力端子Ｑからは、１時間毎にＨｉ信号が出力されている。ＡＮＤゲートＡＮ１８は、入力されたＨｉ信号を７進カウンタの入力端子に出力する。７進カウンタは入力端子から信号の入力があると「１」カウントアップする。そして、カウントした値が「７」になると、出力端子からＯＲゲート１４に対して、Ｈｉ信号をパルス出力する。
【００７９】
ＯＲゲートＯＲ１４は、Ｈｉ信号が入力されたために、Ｔフリップフロップ回路ＴＦのＴ端子にＨｉ信号を出力する。すると、Ｔフリップフロップ回路ＴＦの出力端子Ｑと、反転出力端子！Ｑとの出力信号が反転する。具体的には、出力端子ＱからＬｏｗ信号が、反転出力端子！Ｑから、Ｈｉ信号が出力される。従って、自動点灯機能が無効となる。
【００８０】
このように、第２動作例によれば、自動点灯機能が有効なときは、点灯時間が３秒と長く、必要十分な時間が点灯する。このため、夜間など、長い時間照射させたいときに、極めて有効である。
【００８１】
〔画面表示例〕
上記自動点灯機能の動作に伴う腕時計１の表示画面の一例を図４に示す。図４は、腕時計１の表示部７０を表した図である。
【００８２】
自動点灯機能が作動していない状態では、図４（ａ）のように、例えば日時、曜日、現在の時間が表示されている。図４（ｂ）は、この状態のときにユーザによって切替えＳ１スイッチが２秒間押下された図である。切替えスイッチＳ１が２秒間押下されることにより、自動点灯機能が作動する。また、自動点灯機能が作動したことを示すために、自動点灯マークＭ１が表示されている。図４（ｂ）の状態のときに、さらに切替えスイッチＳ１が２秒間押下されると、自動点灯機能が解除され、図４（ａ）の表示状態に戻る。また、自動点灯機能の開始後、７時間経過した後には、自動的に自動点灯機能は解除され、図４（ａ）の状態に遷移する。
【００８３】
〔変形例〕
本実施の形態について本発明を腕時計に適用した場合を例にとって説明したが、本発明に係る姿勢検出機能付き電子機器は、上述の実施の形態のみ限定されるものではなく、例えば携帯電話等に適用するなど、本発明の要旨を逸脱しない範囲内に於いて種々の変更を加えることは勿論である。
【００８４】
また、本実施の形態について、点灯スイッチＳ３と、切替えスイッチＳ１の２つを利用する形態について説明したが、これに限られるわけではなく、例えば、切替えスイッチＳ１の１つだけでも実現可能である。
【００８５】
具体的には、図５に示すように、切替えスイッチの一方に、２秒タイマＴ３と、ＡＮＤゲートＡＮ１０の一方の入力端子を接続する。切替えスイッチＳ１が押下されたときには、Ｈｉ信号がＡＮＤゲートＡＮ１０の一方の入力端子に、信号が入力される。また、２秒タイマＴ３は、入力端子に、切替えスイッチＳ１から信号が２秒以上入力されると、２秒タイマＴ３は、出力端子からＨｉ信号を出力する。このような構成であれば、点灯ボタンと、切替えボタンとを同一のボタンで実現することができる。
【００８６】
【発明の効果】
この請求項１に記載の発明によれば、手動設定スイッチの有効及び無効に対応して、照明駆動時間を切り替えることが可能となる。従って、ユーザは設定に応じた時間だけバックライトを点灯させることが可能となる。
【図面の簡単な説明】
【図１】本発明を適用した腕時計の概観図の一例を示す図である。
【図２】実施の形態における腕時計のブロック構成の一例を示す図である。
【図３】実施の形態における腕時計の回路構成の一例を示す図である。
【図４】実施の形態における腕時計の表示画面の一例を示す図である。
【図５】図３の回路構成の一部を変形した例を示す図である。
【符号の説明】
１      腕時計
３      ディスプレイ
１０      電子時計回路
２０      ＲＯＭ
３０      操作部
Ｓ１    切替えスイッチ
Ｓ３    点灯スイッチ
４０      姿勢検出部
ＳＫ    姿勢検出スイッチ
５０      計時回路部
５０ａ  分周回路
５０ｂ  時刻計数回路
５０ｃ  日付計数回路
６０      発信回路部
７０      表示部
８０      バックライト
８０ａ  ＥＬ駆動回路
８０ｂ  ＥＬ
【図１】
2005017021.tif 000003
【図２】
2005017021.tif 000004
【図３】
2005017021.tif 000005
【図４】
2005017021.tif 000006
【図５】
2005017021.tif 000007